(57)【要約】【課題】  回転軸６に伝達手段を固定する際に、特殊な工具を使用する必要がなく、且つ作業効率を向上できるモータ１を提供する。【解決手段】  モータ１の回転軸６は、一端側端部に雄ねじ部６ｃが形成され、他端側端部には、例えば断面六角形の凸形状を有する係合部６ｄが設けられている。  プーリ７は、回転軸６の一方の軸部６ａに嵌合して組み付けた後、雄ねじ部６ｃにナット２１を締め付けて固定される。この時、ナット２１の締め付け作業は、ナット２１に付与される締め付け力によって電機子３が連れ回りしないように、回転軸６の他端側端部に設けられた断面六角形の係合部６ｄに工具（例えばスパナ）を係合して行われる。即ち、工具を回転軸６の係合部６ｄに係合して回転軸６の回転を規制しながら、雄ねじ部６ｃにナット２１を締め付けることにより、電機子３が連れ回りすることなく、確実にプーリ７を回転軸６に固定することができる。【選択図】図１
2005057861.tif 000002
【特許請求の範囲】
【請求項１】
回転軸の一端側に回転力を伝達するための伝達手段が取り付けられ、その伝達手段が、前記回転軸に形成された雄ねじ部にナットを締め付けて固定される回転電機において、
前記回転軸の他端側には、前記雄ねじ部に対して前記ナットを締め付ける際、または緩める際に、前記回転軸の回転を規制するための工具を係合する係合部が設けられていることを特徴とする回転電機。
【請求項２】
請求項１に記載した回転電機において、
前記係合部は、前記回転軸の外周面に形成された平面部を有することを特徴とする回転電機。
【請求項３】
請求項１に記載した回転電機において、
前記係合部は、前記回転軸の他端側端面に形成された凹部であり、その凹部の内周に平面部が形成されていることを特徴とする回転電機。
【発明の詳細な説明】
【技術分野】
【０００１】
本発明は、回転軸の一端側に回転力を伝達するための伝達手段が固定される回転電機に関する。
【背景技術】
【０００２】
従来技術として、特許文献１に記載された回転機械がある。
この回転機械は、例えば、図５に示す様に、ロータ１００の回転軸１１０にプーリ１２０が固定され、そのプーリ１２０に外部から回転力が伝達されることにより、ロータ１００が回転して発電を行う発電機である。プーリ１２０は、回転軸１１０の一端側に取り付けられ、回転軸１１０に形成された雄ねじ部１３０（図６参照）にナット１４０を締め付けて固定されている。
【０００３】
また、図６に示す様に、回転軸１１０の一端側端面には、雄ねじ部１３０にナット１４０を締め付ける際に、そのナット１４０に付与される回転力によってロータ１００が連れ回りしない様に、チャック（図示せず）で把持できる多角柱突起１５０が設けられている。従って、プーリ１２０は、回転軸１１０の一端側に嵌め合わされた後、回転軸１１０に設けられた多角柱突起１５０をチャックで把持してロータ１００の回転を規制した状態で、雄ねじ部１３０にナット１４０を締め付けて固定される。
【特許文献１】実開昭５７−１１１０６５号公報
【発明の開示】
【発明が解決しようとする課題】
【０００４】
ところが、上記の従来技術では、雄ねじ部１３０と多角柱突起１５０とが回転軸１１０の同一端側（図６の左側端部）に設けられているため、チャックで多角柱突起１５０を把持する動作と、ナット１４０を雄ねじ部１３０に締め付ける動作とが干渉して作業性が悪くなり、作業効率が低下するという問題が生じる。
【０００５】
また、回転軸１１０の同一端側において、チャックで多角柱突起１５０を把持した状態でナット１４０を雄ねじ部１３０に締め付けるためには、スパナやレンチ等の一般的な工具を使用することが難しく、特殊なラチェット工具等が必要となる。
本発明は、上記事情に基づいて成されたもので、その目的は、回転軸に伝達手段を固定する際に、特殊な工具を使用する必要がなく、且つ作業効率を向上できる回転電機を提供することにある。
【課題を解決するための手段】
【０００６】
（請求項１の発明）
本発明は、回転軸の一端側に回転力を伝達するための伝達手段が取り付けられ、その伝達手段が、回転軸に形成された雄ねじ部にナットを締め付けて固定される回転電機において、回転軸の他端側には、雄ねじ部に対してナットを締め付ける際、または緩める際に、回転軸の回転を規制するための工具を係合する係合部が設けられていることを特徴とする。
【０００７】
この構成によれば、伝達手段が固定される回転軸の一端側ではなく、回転軸の他端側に係合部を設けているので、ナットを雄ねじ部に締め付ける動作、または緩める動作と、係合部に工具を係合して回転軸の回転を規制する動作とが干渉することがない。その結果、ナットの締め付け作業を効率良く行うことができるだけでなく、ナットの締め付け作業に使用する工具、及び回転軸の回転を規制するための工具として、特殊なラチェット工具を使用する必要がなく、例えばスパナやレンチ等の一般的な工具を使用することが可能になる。
【０００８】
（請求項２の発明）
請求項１に記載した回転電機において、係合部は、回転軸の外周面に形成された平面部を有することを特徴とする。
この場合、平面部に工具を係合して回転軸の回転を規制することができる。
また、平面部は、例えば断面Ｄ形状の様に、少なくとも回転軸の外周面に１カ所形成されていれば良い。また、平面部が２カ所以上の場合は、回転軸の径方向に対向する平行な二面を有する形状、あるいは四角形や六角形等の断面多角形状を採用できる。
【０００９】
（請求項３の発明）
請求項１に記載した回転電機において、係合部は、回転軸の他端側端面に形成された凹部であり、その凹部の内周に平面部が形成されていることを特徴とする。
この場合、平面部に工具を係合して回転軸の回転を規制することができる。
また、平面部は、例えば断面Ｄ形状の様に、少なくとも凹部の内周面に１カ所形成されていれば良い。また、平面部が２カ所以上の場合は、凹部の径方向に対向する平行な二面を有する形状、あるいは四角形や六角形等の断面多角形状を採用できる。
【発明を実施するための最良の形態】
【００１０】
本発明を実施するための最良の形態を以下の実施例により詳細に説明する。
【実施例１】
【００１１】
この実施例は、本発明の回転電機をモータに適用した一例を示すものであり、そのモータの半断面図を図１に示す。
モータ１は、例えば、車両用エアコンのコンプレッサ（図示せず）を駆動する動力源として使用される。このモータ１は、磁束を発生する界磁２と、この界磁２の内周に配置される電機子３、この電機子３に設けられる整流子４、及び整流子４の外周面に配置されるブラシ５等より構成され、電機子３の回転軸６に取り付けられたプーリ７と、コンプレッサの回転軸に電磁クラッチを介して取り付けられたプーリ（図示せず）とがベルトにより連結されている。
【００１２】
界磁２は、磁気回路を形成する円筒形状のヨーク８と、このヨーク８の内周に固定される複数の永久磁石９とで構成される。
ヨーク８は、一端側開口部がフロントハウジング１０に組み合わされ、他端側開口部がエンドフレーム１１に組み合わされて、スルーボルト１２の締め付けによりフロントハウジング１０とエンドフレーム１１との間に挟持されている。
【００１３】
永久磁石９は、ヨーク８の周方向に等間隔に配置されている。
なお、フロントハウジング１０には、エンジン本体または車体側へモータ１を取り付けるための取付け用フランジ１０ａが一体に設けられている。また、エンドフレーム１１には、フロントハウジング１０と同様、取付け用フランジ１１ａが一体に設けられると共に、換気用の空気孔１１ｂが形成され、その空気孔１１ｂに水抜きパイプ１３が取り付けられている。
【００１４】
電機子３は、回転軸６と、この回転軸６に嵌合して固定される電機子コア１４、及び電機子コア１４に巻線される電機子コイル１５を備える。
回転軸６は、自身の両端側にそれぞれ断面円形の軸部６ａ、６ｂが設けられ、その両軸部６ａ、６ｂが各々ベアリング１６、１７を介してフロントハウジング１０とエンドフレーム１１とに回転自在に支持されている。この回転軸６の一方の軸部６ａより先端側である一端側端部（図１の右側端部）には、軸部６ａより若干小径の雄ねじ部６ｃが形成されている。また、他方の軸部６ｂより先端側である他端側端部には、本発明の係合部６ｄが設けられている。
【００１５】
この係合部６ｄは、スパナやレンチ等の一般的な工具（図示せず）を係合できる様に、係合部６ｄの外周面に平面部を有する形状、例えば、断面六角形の凸形状を有している。  係合部６ｄの径方向外側には、ベアリング１７を受けるエンドフレーム１１の軸受部１１ｃが設けられており、この軸受部１１ｃに対しカバー１８が着脱可能に取り付けられている。なお、係合部６ｄと軸受部１１ｃとの間には、工具を挿入できるだけの空間が確保されている。
回転軸６の他方の軸部６ｂと電機子コア１４との間には、電機子３を空気冷却するための冷却ファン１９がスプライン結合されている。
【００１６】
整流子４は、互いに絶縁保持された複数のセグメントを回転軸６の一端側外周に円筒形状に配置して構成され、各セグメントがそれぞれ電機子コイル１５に電気的且つ機械的に結合されている。
ブラシ５は、通電用ケーブル２０を介してバッテリ（図示せず）の＋側ターミナルに接続される＋側ブラシ５と、フロントハウジング１０を介して車体にアース接続される−側ブラシ５とを有し、それぞれブラシスプリング（図示せず）により整流子４の外周面に押圧されている。
【００１７】
上記のプーリ７は、回転軸６の一方の軸部６ａに嵌合して組み付けた後、雄ねじ部６ｃにナット２１を締め付けて固定される。この時、ナット２１の締め付け作業は、ナット２１に付与される締め付け力によって電機子３が連れ回りしないように、回転軸６の他端側端部に設けられた断面六角形の係合部６ｄに工具（例えばスパナ）を係合して行われる。即ち、工具を回転軸６の係合部６ｄに係合して回転軸６の回転を規制しながら、雄ねじ部６ｃにナット２１を締め付けることにより、電機子３が連れ回りすることなく、確実にプーリ７を回転軸６に固定することができる。
【００１８】
（実施例１の効果）
本実施例のモータ１では、プーリ７が固定される回転軸６の一端側ではなく、回転軸６の他端側に係合部６ｄを設けているので、ナット２１を雄ねじ部６ｃに締め付ける際、または緩める際に、ナット２１を締め付ける動作、または緩める動作を、回転軸６の係合部６ｄに係合する工具と干渉することなく行うことができる。その結果、プーリ７を回転軸６に固定する際、あるいは回転軸６からプーリ７を取り外す際に、その作業を効率良く行うことができ、且つ作業に使用する工具として、特殊なラチェット工具を用いる必要がなく、例えばスパナやレンチ等の一般的な工具を使用することが可能である。
【実施例２】
【００１９】
本実施例は、本発明の回転電機を発電機に適用した一例であり、その発電機の半断面図を図２に示す。
この発電機２２は、例えば車両に搭載される周知のオルタネータであり、回転軸２３の一端側（図示左側）に固定されたプーリ２４（本発明の伝達手段）と、エンジンのクランクプーリ（図示せず）とがベルトにより連結され、エンジンに駆動されて発電を行う。
【００２０】
この発電機２２においても、実施例１に記載したモータ１の場合と同様に、プーリ２４が取り付けられる回転軸２３の一端側端部に雄ねじ部２３ａが形成され、回転軸２３の他端側端部には、例えば断面六角形の係合部２３ｂが軸方向に突出して設けられている。
プーリ２４は、回転軸２３の一端側に嵌合して組み付けた後、雄ねじ部２３ａにナット２５を締め付けて固定される。この時、回転軸２３の係合部２３ｂに工具（例えばスパナ）を係合して回転軸２３の回転を規制しながら、雄ねじ部２３ａにナット２５を締め付けることにより、ロータ２６が連れ回りすることなく、確実にプーリ２４を回転軸２３に固定することができる。
【００２１】
（変形例）
上記の実施例１では、モータ１をコンプレッサの動力源として説明したが、コンプレッサ以外の動力源としても使用できる。
また、実施例１及び実施例２では、断面六角形の係合部６ｄ、２３ｂを一例として記載したが、その他にも、図３に示す様に、（ａ）断面Ｄ形状、（ｂ）回転軸の径方向に対向する平行な二面を有する形状、（ｃ）断面六角形以外の多角形状（例えば四角形）等を採用することができる。
【００２２】
実施例１及び実施例２に記載した係合部６ｄ、２３ｂは、軸方向に突出する凸形状であり、係合部６ｄ、２３ｂの外周形状が断面六角形であるが、例えば、図４に示す様に、回転軸６、２３の他端側端面に形成された凹部２７を係合部としても良い。この場合、凹部２７の内周に少なくとも１カ所の平面部を形成することが望ましい。例えば、図４に示す断面六角形や、それ以外に、断面Ｄ形状、凹部２７の径方向に対向する平行な二面を有する形状、断面六角形以外の多角形状（例えば四角形）等を採用することができる。
【図面の簡単な説明】
【００２３】
【図１】本発明の第１実施例に係わるモータの半断面図である。
【図２】本発明の第２実施例に係わる発電機の半断面図である。
【図３】本発明の変形例を示す係合部の平面図である。
【図４】本発明の変形例を示す係合部の斜視図である。
【図５】背景技術に係わる回転機械の一部断面図である。
【図６】図５に示す回転機械の回転軸の側面図である。
【符号の説明】
【００２４】
１    モータ（回転電機）
６    回転軸
６ｃ  雄ねじ部
６ｄ  係合部
７    プーリ（伝達手段）
２１    ナット
２２    発電機（回転電機）
２３    回転軸
２３ａ  雄ねじ部
２４    プーリ（伝達手段）
２５    ナット
２７    凹部（係合部）
【図１】
2005057861.tif 000003
【図２】
2005057861.tif 000004
【図３】
2005057861.tif 000005
【図４】
2005057861.tif 000006
【図５】
2005057861.tif 000007
【図６】
2005057861.tif 000008